(57)【要約】【課題】空調装置の熱性能を精度良く評価するための技術を提供する。【解決手段】圧縮機、室外熱交換器、膨張弁、室内熱交換器、および、冷媒の流路である冷媒配管を備える空調装置を評価する評価装置であって、評価装置は、少なくとも通常モードまたは高顕熱モードを含む複数の条件において空調装置の成績係数を取得する成績係数取得部と、成績係数を評価する分類評価部とを有しており、分類評価部は、室外熱交換器の吸い込む空気の乾球温度と、室内熱交換器の制御目標である冷媒蒸発温度との差分に基づいて複数の成績係数を分類し、分類された成績係数に基づいて空調装置の性能特性を取得する空調装置の評価装置を用いる。【選択図】図１
2019020070.tif 000002
【特許請求の範囲】
【請求項１】
圧縮機、室外熱交換器、膨張弁、室内熱交換器、および、冷媒の流路である冷媒配管を備える空調装置を評価する評価装置であって、
前記評価装置は、少なくとも通常モードまたは高顕熱モードを含む複数の条件において前記空調装置の成績係数を取得する成績係数取得部と、前記成績係数を評価する分類評価部とを有しており、
前記分類評価部は、前記室外熱交換器の吸い込む空気の乾球温度と、前記室内熱交換器の制御目標である冷媒蒸発温度との差分に基いて複数の前記成績係数を分類し、分類された前記成績係数に基づいて前記空調装置の性能特性を取得する
ことを特徴とする空調装置の評価装置。
【請求項２】
前記冷媒蒸発温度は、前記空調装置のカタログ値、前記膨張弁と前記室内熱交換器の間の前記冷媒配管における冷媒の温度を測定した値、および、前記室外熱交換器と前記膨張弁の間の前記冷媒配管における冷媒の圧力から換算された値、のいずれかである
ことを特徴とする請求項１に記載の空調装置の評価装置。
【請求項３】
前記乾球温度は、前記室外熱交換器の空気吸い込み口において測定された温度、または、前記空調装置が設置された建物の外気温である
ことを特徴とする請求項１または２に記載の空調装置の評価装置。
【請求項４】
前記成績係数取得部は、前記空調装置のカタログ値、または、前記冷媒配管の複数の位置において測定された冷媒の圧力および温度から導出された値である
ことを特徴とする請求項１ないし３のいずれか１項に記載の空調装置の評価装置。
【請求項５】
前記分類評価部は、分類された前記成績係数と前記差分との相関関係に基づいて前記性能特性を取得する
ことを特徴とする請求項１ないし４のいずれか１項に記載の空調装置の評価装置。
【請求項６】
前記分類評価部は、前記成績係数と前記差分の間の決定係数を取得し、前記決定係数に基づいて前記性能特性を評価する
ことを特徴とする請求項５に記載の空調装置の評価装置。
【請求項７】
前記空調装置は、当該空調装置の消費電力を測定する電力計をさらに備えており、
前記分類評価部は、前記成績係数と前記消費電力に基づいて、前記空調装置の熱出力をさらに取得する
ことを特徴とする請求項１ないし６のいずれか１項に記載の空調装置の評価装置。
【請求項８】
圧縮機、室外熱交換器、膨張弁、室内熱交換器、および、冷媒の流路である冷媒配管を備える空調装置を評価する評価方法であって、
前記評価方法は、少なくとも通常モードまたは高顕熱モードを含む複数の条件において前記空調装置の成績係数を取得するステップと、前記成績係数を評価するステップとを有しており、
前記評価するステップでは、前記室外熱交換器の吸い込む空気の乾球温度と、前記室内熱交換器の制御目標である冷媒蒸発温度との差分に基づいて複数の前記成績係数を分類し、分類された前記成績係数に基づいて前記空調装置の性能特性を取得する
ことを特徴とする空調装置の評価方法。
【発明の詳細な説明】
【技術分野】
【０００１】
本発明は、空調装置の評価装置および評価方法に関する。
【背景技術】
【０００２】
空調装置として、ヒートポンプを熱源とする直膨式のビル用マルチパッケージ型エアコン（業務用エアコン）が広く普及している。また近年、省エネ法（エネルギーの使用の合理化等に関する法律）の施行やトップランナー基準の導入、ＺＥＢ（ゼロ・エネルギー・ビル）の普及につれて、空調装置の熱出力を取得して、建物の熱性能を評価する機会が増えてきている。空調装置の熱出力を取得する方法としては、（１）空気や冷媒の比エンタルピーを直接測定する方法、（２）空調装置の能力を特定の条件下で実際に測定する方法、（３）消費電力の測定値と事前に用意した機器特性から空調装置の熱出力を予測する方法、などがある。
【０００３】
（１）空気や冷媒の比エンタルピーを直接計測する方法としては、ＪＩＳ  Ｂ  ８６１５で定義される空気エンタルピー法や冷媒エンタルピー法が知られている。
【０００４】
空気エンタルピー法では、室内機または室外機の熱交換器へ流入出する空気温湿度と風速（風量）を計測して熱量を求める。しかし、熱交換器周りでは空気温湿度や風速にムラが大きく、適切な計測点の選定が難しい。
この計測点の選定に関して、フラックスサンプラーやプローブセンサを用いて熱交換器周りの温湿度、風速を多点計測する方法が提案されている。また特許文献１（特開２０１０−０３８４８７号公報）では、ファン回転数の計測値から風量を推測する方法が提案されている。しかし、これらの方法では、温湿度や風速の計測に特殊なセンサや多数のセンサが必要となる。また適切な計測点の選定には、事前に分布性状を調査して計測位置の妥当性を確認する必要がある。
【０００５】
冷媒エンタルピー法では、冷媒の圧力や配管温度と冷媒の流量を計測して熱量を求める。しかし、冷媒圧力や配管温度は容易に計測できるが、気液二相流となる冷媒の流量計測は容易ではない。
この冷媒流量の計測方法に関して、特許文献２（特開２００８−２８１２５５号公報）では、気液二相流の冷媒を強制的に冷却して液化し、超音波流量計で流量を計測し、計測後の再加熱によって気液二相流に戻す方法を提案している。しかしこの方法を実行するためには、気液二相流を操作するための高度な計測・制御技術が必要であり、かつ、外部エネルギーを与えて状態を操作することから冷凍サイクルへの影響が懸念される。
また、圧縮器回転数と冷媒流量特性の関係から冷媒流量を推測するコンプレッサカーブ法や簡易コンプレッサカーブ法がある。しかし冷媒流量特性は一般には非公開であり、かつ、機種ごとに異なるため、必要な情報を入手できない場合もある。
【０００６】
（２）空調装置の能力を特定の条件下で実際に計測する方法は、例えば、特許文献３（特開２００９−１５０６４０号公報）に開示されている。特許文献３では、外部から強制的に熱負荷を与えて圧縮機の動作変化の傾向を把握する試験により、実建物に設置されたエアコンの機器容量の過不足を判定している。しかしこの方法では、試験で与える特定の熱負荷条件下での能力しか計測できない。
【０００７】
（３）消費電力の計測値と事前に用意した機器特性から空調装置の熱出力を予測する方法においては、機器特性として成績係数（ＣＯＰ：Coefficient of Performance）が好適に用いられる。成績係数は、空調装置のエネルギー消費効率を表す性能指標であり、消費
電力に対する冷房能力または暖房能力として求められる。成績係数を取得できれば、以下の式（１）によって容易に熱出力を算出できる。
熱出力［ｋＷ］＝消費電力［ｋＷ］×ＣＯＰ    …（１）
【０００８】
したがって、成績係数を取得することや、様々な条件における成績係数を適切に分類・評価することは、空調装置の熱性能を把握するための有効な手法だと言える。特に近年、業務用エアコンなどの空調装置において、通常モードに加えて、省エネ性能が高い高顕熱モードでの運転が可能なものが増えている。しかし、空調装置の熱性能を評価するときに、通常モードと高顕熱モードそれぞれで別々の基準を用いなければならないとすると、情報処理の手間が煩雑になる上に、ユーザーが熱性能を直感的に把握できなくなるおそれがある。
【０００９】
以上のような理由により、空調装置の熱性能を精度良く評価するために、成績係数を適切に分類・評価する方法が求められている。特に、通常モードと高顕熱モードにおける成績係数を統一的な基準により分類・評価する方法が必要とされている。
【先行技術文献】
【特許文献】
【００１０】
【特許文献１】特開２０１０−０３８４８７号公報
【特許文献２】特開２００８−２８１２５５号公報
【特許文献３】特開２００９−１５０６４０号公報
【特許文献４】特開２００７−２７８６１８号公報
【特許文献５】特開２０１７−０４８９５８号公報
【発明の概要】
【発明が解決しようとする課題】
【００１１】
本発明は上記の課題に鑑みてなされたものであり、その目的は、空調装置の熱性能を精度良く評価するための技術を提供することにある。
【課題を解決するための手段】
【００１２】
上記の目的を達成するため、本発明は以下のような構成を採用する。すなわち、圧縮機、室外熱交換器、膨張弁、室内熱交換器、および、冷媒の流路である冷媒配管を備える空調装置を評価する評価装置であって、前記評価装置は、少なくとも通常モードまたは高顕熱モードを含む複数の条件において前記空調装置の成績係数を取得する成績係数取得部と、前記成績係数を評価する分類評価部とを有しており、前記分類評価部は、前記室外熱交換器の吸い込む空気の乾球温度と、前記室内熱交換器の制御目標である冷媒蒸発温度との差分に基づいて複数の前記成績係数を分類し、分類された前記成績係数に基づいて前記空調装置の性能特性を取得することを特徴とする空調装置の評価装置である。
この構成によれば、空調装置の冷房モードにおける成績係数を、冷媒蒸発温度と乾球温度との差分に基づいて分類できる。その結果、通常モードと高顕熱モードの成績係数を、統一的に精度良く評価できる。
【００１３】
上記構成において、冷媒蒸発温度は、前記空調装置のカタログ値、前記膨張弁と前記室内熱交換器の間の前記冷媒配管における冷媒の温度を測定した値、および、前記室外熱交換器と前記膨張弁の間の前記冷媒配管における冷媒の圧力から換算された値、のいずれかであるようにできる。
また上記構成において、乾球温度は、前記室外熱交換器の空気吸い込み口において測定された温度、または、前記空調装置が設置された建物の外気温であるようにできる。
また上記構成において、成績係数取得部は、前記空調装置のカタログ値、または、前記冷媒配管の複数の位置において測定された冷媒の圧力および温度から導出された値である
ようにできる。
この構成によれば、本発明の特徴的な分類評価方法に必要なデータを様々な方式で取得できる。その結果、データ取得の柔軟性が増すとともに、異なる方法で取得したデータに基づく評価結果同士を突き合わせることで校正も可能になる。
【００１４】
本発明はまた、以下の構成を採用することができる。すなわち、圧縮機、室外熱交換器、膨張弁、室内熱交換器、および、冷媒の流路である冷媒配管を備える空調装置を評価する評価方法であって、前記評価方法は、少なくとも通常モードまたは高顕熱モードを含む複数の条件において前記空調装置の成績係数を取得するステップと、前記成績係数を評価するステップとを有しており、前記評価するステップでは、前記室外熱交換器の吸い込む空気の乾球温度と、前記室内熱交換器の制御目標である冷媒蒸発温度との差分に基づいて複数の前記成績係数を分類し、分類された前記成績係数に基づいて前記空調装置の性能特性を取得することを特徴とする空調装置の評価方法である。
この構成によっても、本発明の目的は充分に達成される。
【発明の効果】
【００１５】
本発明によれば、空調装置の熱性能を精度良く評価するための技術を提供できる。
【図面の簡単な説明】
【００１６】
【図１】本発明の空調装置の概略構成図である。
【図２】本発明の評価装置の構成を示すブロック図である。
【図３】本発明の処理の手順を示すフロー図である。
【図４】本発明による評価方法を説明する図である。
【図５】本発明による評価方法を説明する別の図である。
【図６】従来の評価方法を説明するためのモリエル線図である。
【図７】従来の評価方法を説明する図である。
【図８】従来の評価方法を説明する別の図である。
【発明を実施するための形態】
【００１７】
以下に図面を参照しつつ、本発明の好適な実施の形態を説明する。ただし、以下に記載されている構成ブロックやそれらの相対配置などは、発明が適用されるシステムの各種条件により適宜変更されるべきものであり、この発明の範囲を以下の記載に限定する趣旨のものではない。
【００１８】
本発明は、空調装置、空調装置の制御装置または評価装置、空調装置の制御方法または評価方法などに好ましく適用できる。本発明はまた、情報処理装置の演算資源を利用して動作し、空調装置の制御方法または評価方法の各工程を情報処理装置に実行させ、当該情報処理装置を空調装置またはその制御装置もしくは評価装置として機能させるプログラムや、かかるプログラムが格納されたコンピュータにより読み取り可能な記憶媒体としても捉えられる。記憶媒体は、非一時的な記憶媒体であっても良い。
【００１９】
＜成績係数の具体的な取得方法＞
上述の式（１）中、消費電力については電力計による計測等、比較的簡単かつ高精度に測定する技術が存在する。一方、成績係数（機器特性）については、近似式やデータベースの形でメーカーから入手できる場合はその値を用いればよい。ただし、それらの値は一般的には非公開であるため、入手できない場合もある。そこで、本発明の実施形態を説明する上での前提として、空調装置の成績係数を取得する具体的な方法を説明する。
【００２０】
（空調装置の構成）
まず、空調装置の実機についての測定結果から成績係数を算出・推定する方法を示す。
図１は、ヒートポンプ型の空調装置の概略構成図である。空調装置１は概略、室内機１０、室外機２０、膨張弁（電子リニア膨張弁：ＬＥＶ）４０、圧縮機（Ｃｏｍｐ）５０、冷媒が通過する冷媒配管６０を備える。空調装置１が冷房モードで稼働するときは、室内機１０が室内から熱を奪い、室外機２０が室内から取り除いた熱を外部に排出する。
【００２１】
室内機１０は、冷媒と室内空気の間で熱をやり取りするための室内熱交換器（ＨＥＸ）１０１を備えている。室内熱交換器１０１は、冷房モードの場合には蒸発器とも呼ばれ、典型的には冷媒が通過する金属製の管の外側に、アルミ等でできた伝熱面積を広げるためのフィンが多数取り付けられた構造であるが、これに限定されない。また室内機筐体には、空気の吸い込み口１１１・吹き出し口１１２が設けられている。室内機１０は、他にも、冷気や暖気を送るためのファン、フィルター、吸込み温度センサ、吹き出し温度センサ、室内機制御回路、リモコンなどを備えていてよい（不図示）。
【００２２】
室外機２０は、冷媒と室外空気との間で熱をやり取りするための、冷房モードの場合には凝縮器とも呼ばれる室外熱交換器（ＨＥＸ）２０１を備えており、室内熱交換器１０１と同様の構成をとることができる。また室外機筐体には、空気の吸い込み口２１１・吹き出し口２１２が設けられている。室外機２０は他にも、室外ファン、空気の吸い込み口・吹き出し口が設けられた筐体、吸込み温度センサ、吹き出し温度センサ、室外機制御回路、アキュムレータなどを備えていてよい（不図示）。
【００２３】
膨張弁４０は、室内熱交換器１０１と室外熱交換器２０１の冷媒圧力差を保ちつつ、必要な量の冷媒を供給するために設けられており、開度が調整可能な電子リニア膨張弁などが好適に利用されるが、これに限定されない。冷房モードの場合、膨張弁４０から室内熱交換器１０１に冷媒が流れる。圧縮機５０は、冷媒を吸入して圧縮し、吐出する。圧縮機５０として例えば、インバータ制御によって回転数が変化する駆動用モータを用いた能力可変圧縮機が好適であるが、これに限定されない。
【００２４】
冷媒配管６０は、冷媒が通過する流路となる配管であり、上述した各構成要素の間で冷媒を流通させる冷媒配管６０１〜６０６の総称である。また、四路切替弁６１０は、稼動状態を冷房モードと暖房モードとの間で変更する際に、冷媒の流れの方向を切り替える。
【００２５】
空調装置１の運用においては、室内機空気吸い込み口１１１における空気温度が、リモコン等により設定された目標値になるように、室内機１０が運転制御される。その際、冷媒温度（冷房モードでは冷媒蒸発温度）が目標値になるように、膨張弁４０の絞り開度や圧縮機５０の回転周波数が制御される。
【００２６】
図１中、符号Ｔ１〜Ｔ３は、冷媒配管６０における冷媒温度の測定位置を示す。また符号Ｐ１，Ｐ２は、冷媒圧力の測定位置を示す。符号Ｔ４も冷媒温度の測定位置であり、測定した温度の使用方法については後述する。また、符号Ｔ５は空気の温度の測定位置であり、これも後述する。
【００２７】
（成績係数の導出）
図６は冷凍サイクルを表すモリエル線図（Ｐ−ｈ線図）であり、横軸は比エンタルピーｈ（ｋＪ／ｋｇ´）を示し、縦軸は圧力Ｐ（ＭＰａ）を示す。冷媒が状態点１にあるときを出発点とする。冷媒が圧縮機５０に吸入されると、圧縮されて状態点２に移行し、高温高圧になる。次いで、冷媒が凝縮器（室外熱交換器２０１）で放熱して凝縮し、状態点３に移行する。次いで、冷媒が膨張弁４０で減圧されて状態点４に移行する。次いで、減圧された冷媒が蒸発器（室内熱交換器１０１）で吸熱して蒸発し、状態点１に移行する。
【００２８】
図６のモリエル線図の各状態点１〜４は、空調装置の冷媒配管６０における温度と圧力
の測定結果に基づき、以下のようにプロットできる。
・状態点１：低圧側の冷媒圧力（Ｐ１）と、圧縮機入口温度（Ｔ１）よりプロット
・状態点２：高圧側の冷媒圧力（Ｐ２）と、圧縮機出口温度（Ｔ２）よりプロット
・状態点３：高圧側の冷媒圧力（Ｐ２）と、凝縮器出口温度（Ｔ３）よりプロット
・状態点４：低圧側の冷媒圧力（Ｐ１）と、蒸発温度計算値よりプロット
なお、状態点４における蒸発温度計算値は、市販の冷凍サイクル計算プログラム（圧力−蒸発温度の換算に用いるデータベース）を用いて算出できる。
【００２９】
次いで、下記の換算式（２）〜（４）に上記のプロット結果を適用することで、冷房モード時の成績係数を取得できる。
冷房エネルギー［kJ/kg´］＝（状態点４−状態点１）    …（２）
投入エネルギー［kJ/kg´］＝（状態点２−状態点１）    …（３）
成績係数［-］＝冷房エネルギー［kJ/kg´］／投入エネルギー［kJ/kg´］    …（４
）
【００３０】
このような冷媒圧力・温度の測定と成績係数の導出を様々な試験条件下で行うことにより、成績係数の評価に必要なデータを取得できる。例えば、ＪＩＳ（日本工業規格）の定める条件や（一社）日本冷凍空調工業会の定めるガイドラインなどに従って、外気条件や負荷条件などの試験条件を定めることが好ましいが、これに限定されない。
【００３１】
また、上記の方法以外にも、特許文献４（特開２００７−２７８６１８号公報）では、圧縮機に吸入される吸入冷媒、圧縮機から吐出された吐出冷媒、熱交換器に流入する冷媒、熱交換器から流出した冷媒のそれぞれについてエンタルピーを検出し、各冷媒のエンタルピーに基づいて成績係数を算出している。なお、特許文献５の方法では、空調装置の稼働中に連続的に成績係数を求めるためには、冷媒圧力を常時測定しておく必要がある。冷媒圧力の測定には冷媒経路に圧力計を設置する必要がある点に注意を要する。
【００３２】
また、実測値を用いる以外の方法として、特許文献５（特開２０１７−０４８９５８号公報）では、メーカーから提供された不連続的な成績係数データを使用して、統計的な手法に従って代表的な冷却水温以外の水温における機器特性値を推計し、冷却水温と負荷率の関数として表現する方法を開示している。
【００３３】
＜従来の成績係数の分類と評価における問題点＞
ここで、従来用いられてきた成績係数の分類および評価の方法と、その問題点について、出願人が鋭意検討を行った結果について説明する。
【００３４】
図７および図８は、成績係数を分類・評価して空調装置の性能特性を表現するための一般的な手法を説明するグラフである。図７において、横軸は負荷率を、縦軸は成績係数（ＣＯＰ）を示す。図７では、負荷率と成績係数の相関関係が示される。負荷率は定格能力に対する出力の割合として求められる。グラフにおいて、通常モードと高顕熱モードそれぞれで取得されたデータを区別して示す。また、空調装置の定格成績係数（定格ＣＯＰ）を星印で示す。また、各モードのデータごとに、近似式（次数＝３）と、決定係数Ｒ＾２を求めた結果についても、図７に示す。
【００３５】
まず、各モードでの決定係数を検討する。一般的には、「Ｒ＾２＝０．５〜０．８」であれば近似式の精度が良好であり、「Ｒ＾２＝０．８〜１．０」であれば精度が非常に良いとされている。しかし図７では、通常モードで「Ｒ＾２＝０．２０」、高顕熱モードで「Ｒ＾２＝０．１０」であり、近似式の精度は低い。
【００３６】
また、通常モードと高顕熱モードの近似式を比較すると、双方の式がほとんど重なって
おらず、両者の類似性が低い。したがって、図７のデータ分類法では、通常モードと高顕熱モードを統一的な基準で評価することは難しい。
【００３７】
図８において、横軸は室外機吸込み乾球温度を、縦軸は成績係数（ＣＯＰ）を示す。室外機吸込み乾球温度は、室外機に流入する空気の温度を測定することで求められる。図８では、室外機吸込み乾球温度と成績係数の相関関係が示される。図７と同様、通常モードと高顕熱モードそれぞれで取得されたデータを区別し、また、定格ＣＯＰを星印で示す。
【００３８】
図８においても、モードごとに近似式（次数＝１）と決定係数Ｒ＾２を求めた。各モードでの決定係数を検討すると、通常モードで「Ｒ＾２＝０．６５」、高顕熱モードで「Ｒ＾２＝０．４０」である。通常モードにおいてはやや良好な近似が行われているが、高顕熱モードでは近似の精度が低い。さらに、通常モードと高顕熱モードの近似式が離隔しているため、両者を統一的な基準で評価することは難しい。
【００３９】
＜実施の形態＞
本発明にかかる空調装置、空調装置の評価装置、該評価装置を用いた評価方法について説明する。本実施形態でも、図１に示した空調装置１を対象とする。
【００４０】
（評価装置の構成）
図２は、本発明にかかる評価装置８０の構成例を示すブロック図である。評価装置８０は、情報処理装置８１、記憶装置８２、表示装置８３、入力装置８４を備える。情報処理装置８１は、データ取得部８１１、成績係数取得部８１２、分類評価部８１３を有する。評価装置８０としては、ＣＰＵやメモリなどの演算資源や、通信手段、入力手段や表示手段などのインタフェースを備える、ＰＣやワークステーションなどが好適である。ＰＣが備えるハードディスクやＳＳＤ等を記憶装置８２として、ディスプレイ等の表示手段を表示装置８３として、マウスやキーボードなどユーザーの要求を受け付け可能な入力手段を入力装置として、それぞれ利用できる。ただし、各ブロックの機能を果たせるものであれば、これに限定されない。情報処理装置８１に含まれる各ブロックは、図示したようにそれぞれ実体のある回路として構成され、バスにより相互接続されても良いし、それぞれがプログラムモジュールとして仮想的に実現されても良い。後者の場合、各プログラムモジュールがＰＣの演算資源を利用することにより、ＰＣを評価装置８０として動作させる。また、複数のＰＣが協働して評価装置８０の機能を実現しても良い。
【００４１】
図中の情報処理装置８１内のサブブロック構成はあくまでも例示であり、必要な情報処理が行われるのであれば、これに限定されない。評価装置８０と空調装置１を合わせて、評価機能を有する空調装置だと考えてもよい。
【００４２】
情報処理装置８１の成績係数取得部８１２は、データ取得部８１１が取得したデータに基づいて、複数の条件下での成績係数を取得する。データ取得部８１１は、ＰＣの通信機能を利用して温度センサや圧力センサの制御回路と通信を行ったり、予め記憶装置８２に保存されているセンシングデータ等を取得したりして、データを取得する。導出された値などは、分類評価部８１３によって分類・評価される。記憶装置８２には、データ取得部８１１が取得したデータや、算出された成績係数、分類や評価の結果など、各種のデータが保存される。表示装置８３には情報処理装置８１からの出力が表示され、出力結果を確認したユーザーが入力装置８４を用いて操作を行うことで、数値解析のような所望の情報処理が実行される。
【００４３】
（処理フロー）
図３は、本実施形態の処理の手順を示すためのフロー図である。空調装置の評価装置８０による評価方法が開始すると、ステップＳ３０１において、データ取得部８１１が、メ
ーカー提供の成績係数が有るかどうかを判断する。判断結果がＹｅｓの場合、ステップＳ３０２に進み、記憶装置８２に保存された成績係数を取得する。一方、実機の測定により成績係数を求める場合はステップＳ３０３に進み、圧力センサによって冷媒圧力測定位置Ｐ１，Ｐ２の圧力を取得するとともに、温度センサによって冷媒温度測定位置Ｔ１〜Ｔ３の温度を取得する。データ取得部８１１はセンサとの通信により温度データを取得する。続いてステップＳ３０４にて、成績係数取得部８１２が、測定値から求められる各状態点１〜４のプロット結果と、換算式（２）〜（４）に基づいて、成績係数を導出する。なお、成績係数取得には、上述した他の方法を用いても構わない。
【００４４】
一方、ステップＳ３１１〜Ｓ３１２では、本発明の評価方法に用いるための分類用データが取得される。まずステップＳ３１１では、室外機の空気吸い込み口２１１（図１の符号Ｔ５）に設置された温度センサによる測定値に基づいて、室外機の吸込み乾球温度（Ｔｄｒｙ［°Ｃ］）が測定される。なお、室外機の設置状況等により吸込み乾球温度の測定が難しい場合は、気象庁の発表データ等に基づいて、空調装置が設置された建物付近の外気温データを取得してもよい。データ取得部８１１はセンサとの通信により温度データを取得する。
【００４５】
続いて、ステップＳ３１２では、室内機における冷媒蒸発温度（Ｔｅｖａ［°Ｃ］）が取得される。冷媒蒸発温度は空調装置の制御目標の一種であり、メーカーのカタログ等にＪＩＳ試験値などの形式で記載されている場合は、そのデータを利用してもよい。また、何らかの実測を行って冷媒蒸発温度を求めてもよい。実測結果から求める方法の一つに、直接冷媒温度を測定する方法がある。この場合、膨張弁４０と室内熱交換器１０１の間の冷媒配管６０５（図１の符号Ｔ４）に設置された温度センサによって、冷媒の温度を測定する。また、別の方法として、圧力センサで求めた冷媒圧力を、換算式を用いて冷媒蒸発温度に変換してもよい。このとき、冷房モードであれば低圧側（図１の符号Ｐ２）での圧力を測定する。また別の方法として、冷媒蒸発温度などの制御目標値が固定されている旧式の空調装置においては、一度だけ測定を行って得られた値を用いてもよい。
【００４６】
続いて、ステップＳ３３１では、分類評価部８１３が、出願人が見出した本発明に特徴的な方法により、成績係数を分類・評価する。図４を用いて詳しく説明する。
【００４７】
図４は、本実施形態における、成績係数を分類・評価して空調装置の性能特性を表現する手法を説明するグラフである。縦軸は、図７、図８と同様に成績係数（ＣＯＰ）を示す。横軸は、Ｓ３１１で取得した室外機の吸込み乾球温度Ｔｄｒｙと、Ｓ３１２で取得した冷媒蒸発温度Ｔｅｖａの差分である。したがって図８では、該差分値と成績係数の相関関係が示される。グラフにおいて、通常モードと高顕熱モードそれぞれでのデータは区別して示す。また、定格ＣＯＰは星印で示す。
【００４８】
まず、通常モードと高顕熱モードのデータ群を比較すると、両者がグラフ上で同じ傾向を持っている。そこで図４では、両モードで共通の近似式を求めた。その決定係数は、「Ｒ＾２＝０．７１」という良好な値を示しており、精度が高いことが分かる。すなわち、横軸に図４のようなデータを用いることにより、通常モードと高顕熱モードで得られた成績係数を、統一的に、しかも精度よく分類・評価できる。特に、成績係数が空調装置の性能に関連することに鑑みると、外気温度を示す乾球温度や、制御目標値である冷媒蒸発温度が成績係数に与える影響を評価しやすくなることには意義がある。このように本実施形態によれば、空調装置の性能特性を良好に取得して評価できる。
【００４９】
一方図５は、実測値ではなく、メーカー提供の情報から理論的に導き出した近似式を示したグラフである。この場合、成績係数はカタログ値を、乾球温度はＪＩＳ試験の条件値を、冷媒蒸発温度はメーカーから得たＪＩＳ試験値をそれぞれ用いる。この場合でも、提
供を受ける情報は限定的であり、例えば冷房モードの場合は、定格冷房標準試験と中間冷房中温試験の２条件における冷媒蒸発温度のみで済む。図５のグラフ上には、校正の観点から、複数の条件での試験により取得された試験値をプロットしている。試験値はほぼ近似式上にプロットされており、式の精度が良好であることが分かる。
【００５０】
図３に戻って説明を続ける。ステップＳ３２１では、データ取得部８１１が、電力計により測定された空調装置の消費電力を取得する。さらに必要に応じて、ステップＳ３４１において、分類評価部８１３が成績係数と消費電力に基づいて熱出力を連続的に算出・評価してもよい。これにより、ユーザーが空調装置の熱性能を連続的に把握可能となる。なお、分類・評価された成績係数や熱性能は、表示装置８３に表示されてユーザーに提示されてもよいし、記憶装置８２に保存されてもよい。また、情報処理装置８１において数値解析などの用に供されてもよい。
【００５１】
なお、冷媒蒸発温度や成績係数などの本発明に必要なデータについて、カタログ値を使うのではなく、実測結果に基づいて導出することは、初期不良や経年劣化による空調装置の性能のカタログ値からの乖離を防ぐ効果がある。また、カタログ値から求めたデータや近似式を、実測値を用いて校正することも好ましい。校正タイミングとしては、空調装置の出荷時、建物への設置時、定期的なメンテナンス時などが好適である。
【００５２】
以上のように、本実施形態の評価装置および評価方法によれば、空調装置の成績係数を、制御目標でもある冷媒蒸発温度と、室外機吸込み空気の乾球温度との差分に基づいて分類できる。その結果、通常モードと高顕熱モードの成績係数を、統一的に、しかも精度良い近似式で評価可能になる。また、成績係数に基づいて熱出力や熱性能を精度よく評価可能になる。さらに、本発明に必要なデータは少ない時間と少ない労力で取得可能であるため、機器の導入や、連続的な測定が容易である。本実施形態の評価装置を用いた評価方法は、空調装置の性能測定、定期的なメンテナンス、機能の維持管理などに有効である。また、本発明で得られたデータは、数値解析や高効率運用のための基礎データとして利用できる。例えば、年間シミュレーション等で対象空間の空調負荷を予測し、これを本発明で得られた近似式から求めた成績係数で除すことで、室内の負荷条件と室外機の流入空気条件、目標蒸発温度の３つが考慮された業務用エアコンの消費電力の予測が可能になる。
【符号の説明】
【００５３】
１：空調装置、４０：膨張弁、５０：圧縮機、８０：評価装置、１０１：室内熱交換器、６００：冷媒配管
【図１】
2019020070.tif 000003
【図２】
2019020070.tif 000004
【図３】
2019020070.tif 000005
【図４】
2019020070.tif 000006
【図５】
2019020070.tif 000007
【図６】
2019020070.tif 000008
【図７】
2019020070.tif 000009
【図８】
2019020070.tif 000010